(57)【要約】【課題】照明環境を向上させた透光パネル及びそれを用いた照明器具を提供する。【解決手段】埋込型照明器具は、下面が開口する略箱状のボディと、下面が開口する略箱状に形成され片口金ランプから照射された光を反射させる反射板と、上面及び下面が開口する略角筒状の枠体と、枠体の下面側に配置される透光パネル５とを備えている。透光パネル５は、略矩形板状の平面部５ｄを有しており、平面部５ｄの外縁には平面部５ｄに比べて厚みが厚い肉厚部５ｂが全周に渡って一体に形成されている。さらに、平面部５ｄと肉厚部５ｂとの境界部分には、平面部５ｄから肉厚部５ｂにかけてその厚みが曲線的に漸増する肉盛部５ｃが設けられている。【選択図】図１
2008159486.tif 000002
【特許請求の範囲】
【請求項１】
平板状であって外縁部に内側部に比べて厚みが厚い肉厚部が設けられた透光板を備え、前記内側部と前記肉厚部との境界部分に当該内側部から当該肉厚部にかけて厚みが漸増する肉盛部を設けたことを特徴とする透光パネル。
【請求項２】
前記肉盛部は、前記内側部から前記肉厚部にかけて厚みが曲線的に漸増することを特徴とする請求項１記載の透光パネル。
【請求項３】
請求項１又２の何れか１項に記載の透光パネルと、当該透光パネルが取着される枠体と、当該枠体が取着される器具本体と、当該器具本体に取着され内部に配設されたランプからの照射光を反射させる反射板と、前記ランプに電源を供給する電源供給手段とを備えたことを特徴とする照明器具。
【発明の詳細な説明】
【技術分野】
【０００１】
本発明は、透光パネル及びそれを用いた照明器具に関するものである。
【背景技術】
【０００２】
従来より、薄板からなるパネルに補強材を設けた透光パネルがあった（例えば特許文献１参照）。この透光パネルは、光透過性を有する大理石からなる略矩形板状のパネルを備えており、このパネルの裏面側には、例えばガラス等の光透過性を有する材料で形成された補強材が一体に設けられている。この補強材は、略矩形板状の基板部とこの基板部の外縁に一体に形成されたリブとで構成されている。
【０００３】
この透光パネルでは、パネルの裏面側に補強材を一体に設けており、リブによりパネル強度を確保することができるので、パネル及び基板部の厚みを薄くすることができ、光透過性を高めることができる。
【特許文献１】特開２００５−５９３４２号公報（第３頁−第４頁、及び、第１図、第２図）
【発明の開示】
【発明が解決しようとする課題】
【０００４】
上述の特許文献１に示した透光パネルでは、リブが基板部から急激に立ち上がっており、この透光パネルを照明器具に取付けてランプを点灯させた際に、リブの影がパネルに投影されるので、室内からリブの影が視認され、照明環境を悪化させる虞れがあった。
【０００５】
本発明は上記問題点に鑑みて為されたものであり、その目的とするところは、照明環境を向上させた透光パネル及びそれを用いた照明器具を提供することにある。
【課題を解決するための手段】
【０００６】
請求項１の発明は、平板状であって外縁部に内側部に比べて厚みが厚い肉厚部が設けられた透光板を備え、内側部と肉厚部との境界部分に当該内側部から当該肉厚部にかけて厚みが漸増する肉盛部を設けたことを特徴とする。
【０００７】
請求項２の発明は、肉盛部は、内側部から肉厚部にかけて厚みが曲線的に漸増することを特徴とする。
【０００８】
請求項３の発明は、請求項１又２の何れか１項に記載の透光パネルと、当該透光パネルを保持する枠体と、当該枠体が取着される器具本体と、当該器具本体に取着され内部に配設されたランプからの照射光を反射させる反射板と、前記ランプに電源を供給する電源供給手段とを備えたことを特徴とする。
【発明の効果】
【０００９】
請求項１の発明によれば、透光板において内側部と肉厚部との境界部分に内側部から肉厚部にかけてその厚みが漸増する肉盛部を設けることによって、内側部から肉厚部への透光板の厚みが緩やかに増加することになるので、ランプを点灯させた際に肉厚部の影を目立たなくすることができ、照明環境を向上させることができるという効果がある。
【００１０】
請求項２の発明によれば、肉盛部を内側部から肉厚部にかけて曲線的に漸増させることによって、内側部から肉厚部への透光板の厚みがさらに緩やかに増加することになるので、ランプを点灯させた際に肉厚部の影をより一層目立たなくすることができ、照明環境をさらに向上させることができるという効果がある。
【００１１】
請求項３の発明によれば、請求項１又は２の何れか１項に記載の透光パネルを用いることによって、照明環境を向上させた照明器具を提供することができるという効果がある。
【発明を実施するための最良の形態】
【００１２】
本発明の実施形態を図１〜図１１に基づいて説明する。本発明に係る埋込型照明器具Ａは、図４及び図９に示すように造営材（例えば、下地材１６及び仕上げ天井１７）に設けた埋込孔１８を通して天井裏に配設され、吊ボルト金具７を介して建物の躯体２１に設けた吊ボルト２２に固定される。
【００１３】
この埋込型照明器具Ａは、図２〜図４に示すように下面が開口する略箱状のボディ１と、下面が開口する略箱状に形成され片口金ランプ９から照射された光を反射させる反射板３と、上面及び下面が開口する略角筒状の枠体４と、枠体４の下面側に配置される透光パネル５とを備えている。
【００１４】
まず、ボディ１について図２〜図４に基づいて説明する。ボディ１は、下面が開口するとともに上面が略十字状に開口する略箱状に形成されており、ボディ１の対向する２つの側面にはサブボディ２、２がそれぞれ取付けられている。また、ボディ１の残りの側面のうち一方側の内側面には、片口金ランプ９を装着する複数（図３では２個）のランプソケット８が、片口金ランプ９が接続される接続面８ａを内側に向けた状態でそれぞれ固定されている。さらに、ボディ１においてランプソケット８の外側位置には、片口金ランプ９に電源を供給するための点灯回路（電源供給手段）１０が取付けられた点灯回路取付台６がボディ１に回動自在に取着されており、点灯回路１０と各ランプソケット８とが図示しないリード線を介してそれぞれ電気的に接続されている。
【００１５】
次に、サブボディ２について図２に基づいて説明する。サブボディ２は、後述する調整金具１１が取付けられる略矩形板状の主片２ａを有しており、この主片２ａの下端側には外側に向かって延出する鍔部２ｃが設けられている。また、主片２ａの上端側には内側に向かって延出する取付片２ｂが設けられており、サブボディ２は取付片２ｂを介してボディ１に取付けられる。さらに、サブボディ２の主片２ａには、調整金具１１の係止片１１ｄ、１１ｄを上下方向に移動自在に挿通させる開口部２ｄが設けられており、開口部２ｄを間にして左右方向両側には調整金具１１を主片２ａに取付けるための取付ねじ１９を上下方向に移動自在に挿通させる長孔２ｅ、２ｅがそれぞれ設けられている。また、各長孔２ｅ、２ｅの左右方向両端寄りには、調整金具１１の位置決め片１１ｂ、１１ｂを上下方向に移動自在に挿通させるスリット２ｆ、２ｆがそれぞれ設けられている。さらに、主片２ａの右側の下方位置には、図示しない取付金具が取付けられ取付金具の位置を上下方向に調整する略Ｔ字状のスリット２ｇが設けられており、例えば仕上げ天井１７を施工する前にボディ１及びサブボディ２を下地材１６に固定する場合、取付金具をスリット２ｇに沿って上下方向に調整して鍔部２ｃと取付金具との間で下地材１６を挟持させると、ボディ１及びサブボディ２が下地材１６に固定される。ここに、ボディ１とサブボディ２とで器具本体２０が構成されている。
【００１６】
ここで、調整金具１１について図６に基づいて説明する。調整金具１１は、横長板状の取付主片１１ａを有しており、取付主片１１ａの長手方向両端側からは位置決め片１１ｂ、１１ｂが取付主片１１ａと直交する方向であって同一の方向にそれぞれ折曲形成されている。また、取付主片１１ａの上方には、取付副片１１ｃが一体に形成されており、取付副片１１ｃの長手方向両端側からは係止片１１ｄ、１１ｄが位置決め片１１ｂと略平行であって同一の方向にそれぞれ折曲形成されている。さらに、各係止片１１ｄ、１１ｄには、後述するＶ字ばね１４の係止ばね部１４ｂ、１４ｂと係止する係止溝１１ｅ、１１ｅがそれぞれ形成されている。また、主片１１ａにおいて長手方向両端寄りには、取付ねじ１９が螺合するねじ孔１１ｆが各１個ずつ設けられている。
【００１７】
次に、調整金具１１をサブボディ２に取付ける方法について、図２に基づいて説明する。まず、位置決め片１１ｂ及び係止片１１ｄをサブボディ２側に向けた状態で調整金具１１をサブボディ２に外側から近づけ、両係止片１１ｄ、１１ｄを開口部２ｄに挿通するとともに、各位置決め片１１ｂを対応するスリット２ｆに挿通する。そして、内側から取付ねじ１９を各長孔２ｅに挿通してねじ孔１１ｆに螺合させると、調整金具１１がサブボディ２に取付けられる。この調整金具１１は、取付ねじ１９を緩めることで上下方向にスライドさせることができるので、上下方向における調整金具１１の位置を調整することができる。
【００１８】
ここで、吊ボルト金具７について図２に基づいて説明する。吊ボルト金具７は、略矩形板状の主片７ａを有しており、主片７ａの長手方向両端側には各サブボディ２に固定するための固定片７ｂ、７ｂが一体に設けられている。また、主片７ａの略中央位置には、吊ボルト２２のねじ部が螺合するねじ孔７ｄを有する回転部７ｃが主片７ａに対して回動自在に取着されており、この回転部７ｃを回転させることによって、主片７ａ及び両固定片７ｂ、７ｂを回転させることなく吊ボルト金具７の上下方向の位置を調整することができる。
【００１９】
次に、反射板３について図２〜図４に基づいて説明する。反射板３は、金属製であって下面が開口する略箱状に形成されており、開口端縁には外側に向かって延出する鍔部３ａが略全周に渡って形成されている。また、反射板３の側面においてランプソケット８に対応する部位には、ランプソケット８を挿通するための複数（図３では２個）の挿通孔３ｂが設けられている。この反射板３は、例えばねじ等を用いてボディ１の上面に固定される。
【００２０】
ここで、本発明に係る透光パネル５について図１に基づいて説明する。透光パネル５は、例えば乳白色のアクリル素材であって光拡散性を有しており、図１（ａ）に示すように略矩形板状に形成されている。この透光パネル５は、薄肉板状の平面部（内側部）５ｄを有しており、平面部５ｄの外縁には平面部５ｄに比べて厚みが厚い肉厚部５ｂが全周に渡って一体に形成されている。ここに、平面部５ｄと肉厚部５ｂとで透光板が構成されている。このように、平面部５ｄの外縁に肉厚部５ｂを形成することによって、透光パネル５を補強することができるので、平面部５ｄの厚みを薄くすることができ、光透過性を向上させることができる。また、平面部５ｄと肉厚部５ｂとの境界部分には、図１（ｂ）に示すように平面部５ｄから肉厚部５ｂにかけてその厚みが曲線的に漸増する肉盛部５ｃが設けられている。さらに、透光パネル５において対向する２つの肉厚部５ｂ、５ｂの略中央位置には、上方に向かって突出する係止片５ａ、５ａがそれぞれ設けられており、これらの係止片５ａの先端両側には側方に突出し下端部に係止部５ｆ、５ｆを有する係止爪５ｇ、５ｇが一体に形成されている。ここに、係止片５ａの先端部位及び両係止爪５ｇ、５ｇで後述する規制部材１５に当接する支点切替片５ｅが構成されている。
【００２１】
次に、枠体４について図２〜図５及び図７に基づいて説明する。枠体４は、上面及び下面が開口する略角筒状に形成されており、枠体４において対向する２つの側面部４ｂ、４ｂには図５に示すように開口部４ａ、４ａがそれぞれ設けられている。また、各開口部４ａの上方位置には、図７に示すように後述する取付金具１２を固定するための固定部４ｃが内側に向かって凹設されており、固定部４ｃには取付金具１２を固定する際に取付ねじ（図示せず）が螺合するねじ孔４ｄが２個設けられている。
【００２２】
ここで、取付金具１２について図７及び図８に基づいて説明する。取付金具１２は、横長であって略矩形板状の取付片１２ａを有しており、取付片１２ａの幅方向一端側には後述するＶ字ばね１４が取付けられた取付リング１３を固定するための固定孔１２ｇが設けられている。また、取付片１２ａの幅方向他端側からは支持片１２ｂが取付片１２ａと直交する方向に折曲形成されており、さらに支持片１２ｂの長手方向両端側からは一対のパネル保持ばね１２ｃ、１２ｃが取付片１２ａと反対方向にそれぞれ折曲形成されている。各パネル保持ばね１２ｃは、中間部が両端部に比べて外側方向に突出する形状に形成された支点切替ばね片１２ｊをそれぞれ有しており、この支点切替ばね片１２ｊの下端側には外側方向に突出し、後述する規制部材１５と係止する係止面１２ｄが一体に形成されている。さらに、透光パネル５の係止部５ｆと係止する係止面１２ｈを有する略く字状のパネル係止片１２ｅが、係止面１２ｄから延出し一体に折曲形成されている。また、取付片１２ａには、枠体４の固定部４ｃに設けたねじ孔４ｄに対応する部位にねじ挿通孔（図示せず）が設けられており、取付金具１２を取付ねじ（図示せず）を用いて枠体４の外側から固定部４ｃに取付けると、図７に示すようにパネル保持ばね１２ｃ及び規制部材１５が開口部４ａを臨んで配置される。
【００２３】
次に、規制部材１５について図７及び図８に基づいて説明する。規制部材１５は、下面が開口する断面コ字状に形成されており、上面において両端側にはパネル保持ばね１２ｃ、１２ｃの係止面１２ｄ、１２ｄと係止する係止部１５ｂ、１５ｂがそれぞれ設けられている。また、規制部材１５の上面において略中央位置には、透光パネル５の支点切替片５ｅと当接する当接部１５ａが設けられており、この当接部１５ａと各係止部１５ｂ、１５ｂとの間には、挿通孔１５ｃ、１５ｃがそれぞれ設けられている。そして、各パネル保持ばね１２ｃを対応する挿通孔１５ｃにそれぞれ挿通して係止部１５ｂを係止面１２ｄに係止させると、両パネル保持ばね１２ｃ、１２ｃを内側に撓めた状態で、規制部材１５が両パネル保持ばね１２ｃ、１２ｃに保持される。
【００２４】
さらに、Ｖ字ばね１４について図７に基づいて説明する。Ｖ字ばね１４は、コイル状に曲成された基部１４ａを有しており、この基部１４ａの両端部からは弾性を有する一対の係止ばね部１４ｂ、１４ｂが、略Ｖ字状に延出している。このＶ字ばね１４は、基部１４ａにおいて取付リング１３に回動自在に取付けられており、この取付リング１３は、例えばねじ等を用いて取付金具１２の取付片１２ａに取付けられる。
【００２５】
ここで、枠体４を器具本体２０に取付ける手順について図４及び図５に基づいて説明する。まず、Ｖ字ばね１４の係止ばね部１４ｂ、１４ｂを互いに近づく方向に撓めた状態で、枠体４の側面部４ｂの上端面が調整金具１１の両位置決め片１１ｂ、１１ｂに当接するまで枠体４を上方に押し上げる。そして、側面部４ｂの上端面が両位置決め片１１ｂ、１１ｂに当接した状態で係止ばね部１４ｂ、１４ｂから手を離すと、係止ばね部１４ｂ、１４ｂが拡開し、係止溝１１ｅ、１１ｅとそれぞれ弾性係止し、枠体４が器具本体２０に取付けられる。尚、枠体４は、係止ばね部１４ｂ、１４ｂの弾性力によって係止溝１１ｅ、１１ｅに係止しているだけなので、枠体４を器具本体２０から取り外す場合には、枠体４を下側に引っ張るだけでよく、簡単に取り外すことができる。
【００２６】
次に、枠体４に透光パネル５を着脱する手順について図８に基づいて説明する。まず、取付ける手順について図８（ａ）に基づいて説明する。最初に、規制部材１５を両パネル保持ばね１２ｃ、１２ｃに沿って下側にスライドさせて、係止部１５ｂ、１５ｂをそれぞれ係止面１２ｄ、１２ｄに係止させる。この時、規制部材１５が支点切替ばね片１２ｊ、１２ｊの突出部位を越えると、パネル保持ばね１２ｃ、１２ｃがばね反力により拡開するので、規制部材１５が下側に押し下げられ係止部１５ｂ、１５ｂが係止面１２ｄ、１２ｄとそれぞれ係止する。尚、この状態において各パネル保持ばね１２ｃは、互いに近づく方向に撓められた状態、すなわち内側に弾性付勢された状態で保持されている。次に、透光パネル５を枠体４の下側から近づけると、透光パネル５の支点切替片５ｅによって両パネル係止片１２ｅ、１２ｅが互いに離れる方向に弾性付勢された状態で押し拡げられる。さらに、透光パネル５を押し込むと、支点切替片５ｅが両パネル係止片１２ｅ、１２ｅを通過するので、両パネル係止片１２ｅ、１２ｅがばね反力によって元の位置に戻り、支点切替片５ｅの係止部５ｆ、５ｆがそれぞれ係止片１２ｅ、１２ｅの係止面１２ｈ、１２ｈと係止して、透光パネル５が枠体４に取付けられる。この時、規制部材１５は支点切替片５ｅと当接しておらず、係止部１５ｂ、１５ｂがそれぞれ係止面１２ｄ、１２ｄと係止した状態で保持されている。
【００２７】
さらに、取り外す手順について図８（ｂ）に基づいて説明する。透光パネル５が枠体４に取付けられた状態からさらに透光パネル５を押し込むと、支点切替片５ｅが規制部材１５の当接部１５ａに当接し、規制部材１５が押し上げられる。そして、規制部材１５が両パネル保持ばね１２ｃ、１２ｃに沿って上側にスライドし支点切替ばね片１２ｊ、１２ｊの突出部位を越えると、パネル保持ばね１２ｃ、１２ｃがばね反力により拡開するので、規制部材１５が上側に押し上げられ係止部１５ｂと係止面１２ｄとの係止が外れた状態で保持される。この状態においてパネル保持ばね１２ｃ、１２ｃは、ばね反力によって互いに離れる方向に拡開するので、係止部５ｆと係止面１２ｈとの係止が外れ、透光パネル５を枠体４から取り外すことができる。
【００２８】
次に、下地材１６及び仕上げ天井１７が施工された後に埋込型照明器具Ａを取付ける場合の施工手順について図４、図９及び図１０に基づいて説明する。まず、下地材１６及び仕上げ天井１７の厚みに応じて、調整金具１１の位置を調整する。次に、吊ボルト金具７を吊ボルト２２に取付け、点灯回路取付台６を上側に回動させた状態で器具本体２０を埋込孔１８を通して下地材１６に載せ、さらに点灯回路取付台６を下側に回動させて元の位置に戻す。そして、下側から回転部７ｃを回転させて吊ボルト金具７の上下方向の位置をサブボディ２の取付片２ｂの位置に合わせ、取付ねじ（図示せず）を用いて吊ボルト金具７を取付片２ｂに固定する。さらに、下側から回転部７ｃを回転させて器具本体２０を下地材１６に密着させると、図９（ａ）に示すように器具本体２０の取付けが完了する。次に、Ｖ字ばね１４の係止ばね部１４ｂ、１４ｂを互いに近づく方向に撓めた状態で枠体４を埋込孔１８を通して下側から挿通し、係止ばね部１４ｂ、１４ｂをそれぞれ調整金具１１の係止溝１１ｅ、１１ｅに弾性係止させると、図９（ｂ）に示すように枠体４が器具本体２０に取付けられる。さらに、図９（ｃ）に示すように埋込孔１８を通して反射板３を器具本体２０に取付け、その後片口金ランプ９をランプソケット８に取付ける。最後に、図９（ｄ）に示すように透光パネル５を下側から埋込孔１８に挿通し、支点切替片５ｅを両パネル保持ばね１２ｃ、１２ｃに係止させると、透光パネル５が枠体４に取付けられ、埋込型照明器具Ａの取付けが完了する。この時、枠体４は図１０に示すように下地材１６及び仕上げ天井１７の側面（埋込孔１８の内面）との間にＤ寸法の間隔を設け、仕上げ天井１７の仕上げ面１７ａ（仕上げ天井１７の下面）と接触していない状態で配置される。
【００２９】
さらに、埋込型照明器具Ａの別の施工例について図１１に基づいて説明する。尚、図１１において、仕上げ天井１７は省略している。まず、下地材１６が施工された状態（仕上げ天井１７を施工する前の状態）において、点灯回路取付台６を上側に回動させた状態で器具本体２０を埋込孔１８に挿通し、さらに点灯回路取付台６を下側に回動させて元の位置に戻す。この状態において、サブボディ２の鍔部２ｃは下地材１６の下面に当接している。次に、取付金具（図示せず）をサブボディ２に設けたスリット２ｇに沿って上下方向に調整して取付金具と鍔部２ｃとの間で下地材１６を挟持させると、器具本体２０の取付けが完了する。以下、上述した施工例と同様の手順で枠体４、反射板３、片口金ランプ９及び透光パネル５を順次取付けると、埋込型照明器具Ａの取付けが完了する。この状態において、図１１に示すようにサブボディ２の鍔部２ｃは下地材１６の下面側に露出しているが、仕上げ天井１７を施工することによって、鍔部２ｃが露出することなく、また仕上げ天井１７の仕上げ面１７ａに当接することなく埋込型照明器具Ａが施工される。
【００３０】
この埋込型照明器具Ａでは、透光パネル５において、平面部５ｄと肉厚部５ｂとの境界部分に平面部５ｄから肉厚部５ｂにかけてその厚みが曲線的に漸増する肉盛部５ｃを設けることによって、平面部５ｄから肉厚部５ｂへのパネルの厚みが緩やかに増加することになるので、片口金ランプ９を点灯させた際に肉厚部５ｂの影を目立たなくすることができ、照明環境を向上させることができる。従って、この透光パネル５を用いることによって、照明環境を向上させた埋込型照明器具Ａを提供することができる。
【００３１】
尚、本実施形態では、平面部５ｄから肉厚部５ｂにかけて曲線的に漸増する肉盛部５ｃを設けた透光パネル５を例に説明したが、肉盛部５ｃの形状は曲線的に漸増する形状に限定されるものではなく、平面部５ｄから肉厚部５ｂにかけて漸増する形状であれば直線的に漸増する形状であってもよい。また、本実施形態では、乳白色のアクリル素材で形成した透光パネル５を例に説明したが、透光パネル５はアクリル素材に限定されるものではなく、光拡散性を確保できるものであればよい。
【００３２】
さらに、本実施形態では、埋込型照明器具Ａを用いて説明したが、用いる照明器具は埋込型に限定されるものではなく、天井取付型の照明器具であってもよい。
【図面の簡単な説明】
【００３３】
【図１】（ａ）は本実施形態の埋込型照明器具に用いる透光パネルの斜視図である。（ｂ）は同上に用いる透光パネルの要部詳細斜視図である。
【図２】同上の斜視図である。
【図３】同上を下側から見た斜視図である。
【図４】同上の一部破断せる平面図である。
【図５】同上の一部破断せる斜視図である。
【図６】同上に用いられる調整金具の斜視図である。
【図７】同上の枠体の要部詳細斜視図である。
【図８】（ａ）は同上の枠体に透光パネルを取付ける際の要部の状態を示す状態図である。（ｂ）は同上の枠体から透光パネルを取り外す際の要部の状態を示す状態図である。
【図９】（ａ）〜（ｄ）は同上を天井に取付ける状態を示す説明図である。
【図１０】同上を天井に取付けた状態における枠体と天井材との位置関係を示す状態図である。
【図１１】同上を天井に取付けた状態の別の例を示す説明図である。
【符号の説明】
【００３４】
１    ボディ
２    サブボディ
３    反射板
４    枠体
５    透光パネル
５ｂ  肉厚部
５ｃ  肉盛部
５ｄ  平面部（内側部）
９    片口金ランプ
１０  点灯回路（電源供給手段）
２０  器具本体
Ａ    埋込型照明器具
【図１】
2008159486.tif 000003
【図２】
2008159486.tif 000004
【図３】
2008159486.tif 000005
【図４】
2008159486.tif 000006
【図５】
2008159486.tif 000007
【図６】
2008159486.tif 000008
【図７】
2008159486.tif 000009
【図８】
2008159486.tif 000010
【図９】
2008159486.tif 000011
【図１０】
2008159486.tif 000012
【図１１】
2008159486.tif 000013